(57)【特許請求の範囲】
【請求項１】
原稿台上に載置された原稿束を順に原稿読み取り位置に給送して排出する自動原稿給紙装置と、原稿読み取り位置に給送された原稿から画像情報を読み取って記憶部に格納する原稿読み取り部と、該原稿読み取り部により読み取られた画像情報を記録用紙上に画像形成する画像形成手段と、定型サイズの記録用紙としての定型紙を収納する第１の給紙トレイと、定型サイズ部から見出しタブ部が突出している記録用紙としてのタブ紙を収納する第２の給紙トレイと、前記第１及び第２の給紙トレイに収納された定型紙及びタブ紙を各々前記画像形成手段に給紙する給紙手段とを備える画像形成装置において、
前記タブ紙に画像形成を行う以前に、見出しタブ部の位置が異なる全種類のタブ紙を一組にまとめたタブ紙束を前記原稿読み取り部を用いて読み取ることにより、前記各タブ紙における見出しタブ部の形状、見出しタブ部の位置、及び、前記一組のタブ紙束中のタブ紙の枚数についての各情報を前記記憶部に格納すると共に、前記タブ紙に画像形成を行う際に、前記記憶部に格納した各情報に基づいて前記タブ紙の見出しタブ部上の画像形成位置及びサイズを決定する制御手段を備えることを特徴とする画像形成装置。
【請求項２】
前記見出しタブ部に既に記載がなされたタブ紙を含む原稿束を読み取る際に、前記制御手段は、
読み取った原稿が定型サイズの原稿である場合に、第１の給紙トレイ又は他の給紙トレイに収納された第１の給紙トレイと同サイズの定型紙を選択して読み取った原稿の画像情報による画像形成を行い、
読み取った原稿がタブ紙の原稿である場合に、第２の給紙トレイに収納されたタブ紙を選択すると共に、前記選択されたタブ紙の見出しタブ部形状に合わせて前記原稿の見出しタブ部に記載された画像情報の画像形成を行う位置及びサイズを変更することを特徴とする請求項１に記載の画像形成装置。
【請求項３】
前記制御手段は、原稿束に含まれるタブ紙から次のタブ紙まで又はタブ紙から原稿束中の最終紙までの範囲のタブ紙及び該タブ紙に続く一続きの定型紙からなる原稿を１つのファイルと見なし、前記画像形成手段により前記記憶部に格納された画像情報を出力する際に、前記原稿束から読み取られた前記ファイルの順序を操作者が希望する任意の順序に入れ替えて出力させることができることを特徴とする請求項２に記載の画像形成装置。
【発明の詳細な説明】
【０００１】
【発明の属する技術分野】
本発明は、定型紙サイズの用紙の端縁から見出し用のタブが突出しているタブ紙のタブ部に対する印刷を可能とする画像形成装置に関する。
【０００２】
【従来の技術】
従来から、定型紙サイズの用紙の端縁の一部に見出し用のタブが突出しているタブ紙のタブ部に印刷する手法は知られており、例えば、特開昭６２−１４６６０号公報、特開平３−１８１９５５号公報等には、従来のアナログの画像形成装置においてタブ紙のタブ部に印刷するための印刷技術が記載されている。
特開昭６２−１４６６０号公報には、画像領域上の画像がタブ部上に印刷されるようにタブ付き複写用紙画像領域に対して位置決めする手段を有する複写機が示されている。特開平３−１８１９５５号公報には、両面原稿の中にタブ原稿が混ざっている場合のタブ付き複写物を得るための複写機が示されている。
又、タブ部の形状を数値入力することで多様なタブ部の形状に対応した印刷を行い得るようにした印刷手法は特開平８−２２０９４０にて公知となっている。特開平８−２２０９４０号公報には、原稿束を複写する場合に原稿束中のどの原稿用紙上の内容をタブ紙に複写するかを指定する手段と、タブ紙上のタブ部の長さを設定する手段が記載されている。
【０００３】
【発明が解決しようとする課題】
ところで、実際のタブ紙の形状、特にタブ部の形状や大きさはメーカー毎に若干異なっている。例えば、タブ部の長さ方向に関しては、タブ部の長さについてＡ４定型紙の長辺を４分割した長さとするか、６分割した長さとするか、さらに、タブ部の長辺の両端を斜めに切断する切断角度をどの程度の角度とするか等により異なる。また、タブ部の突出幅もメーカーにより異なっている。その様々なタブ部の大きさに対して、適当なタブ位置に印刷がなされるようにするためには、予めタブ位置を手作業の数値入力により指定（補正）して印刷するしか方法がなかった（例えば、特開平８−２２０９４０に開示）。しかしながら、そのような手作業による数値入力の手間は煩雑であり、入力値が実際のタブ部から少しでもずれると印刷結果もずれてしまい人為的なミス（入力ミス等）による印刷エラーを起こす可能性が有った。
一方、上記特開平８−２２０９４０の方法では、例えば、タブ紙により区切られた一連の原稿束を複製する場合には、予め原稿束の用紙枚数を数えて何枚目かにタブ紙を用いること（原稿束中のタブ紙が入る位置）をテンキーにより操作者が入力して指示する必要があった。また、その入力作業のために原稿束の枚数やタブ紙の入る位置を操作者が予め数えなければならず作業が繁雑であった。
更に、タブ紙によって仕分けられた複数のファイルからなる原稿束の複製物を作成する際に、ファイル単位毎の順序を入れ替えた複製物を得ようとする場合、上記した従来の技術では、操作者が予め原稿順序を各ファイルの順序に合わせて入れ替えると共に、タブ部の文字も入れ替えた順序に合わせて書き直してから複写処理を行わなければならなかった。従って、操作者にとって、原稿のファイルの入れ替えやタブ部の文字の書き直しは、非常に煩雑な作業であった。
本発明は、上述した如き従来の問題を解決するためになされたものであって、タブ紙における画像形成位置を簡単な操作により認識する画像形成装置を提供することを目的とする。
【０００４】
【課題を解決するための手段】
上述の目的を達成するため、請求項１に記載の本発明の画像形成装置は、原稿台上に載置された原稿束を順に原稿読み取り位置に給送して排出する自動原稿給紙装置と、原稿読み取り位置に給送された原稿から画像情報を読み取って記憶部に格納する原稿読み取り部と、該原稿読み取り部により読み取られた画像情報を記録用紙上に画像形成する画像形成手段と、定型サイズの記録用紙としての定型紙を収納する第１の給紙トレイと、定型サイズ部から見出しタブ部が突出している記録用紙としてのタブ紙を収納する第２の給紙トレイと、前記第１及び第２の給紙トレイに収納された定型紙及びタブ紙を各々前記画像形成手段に給紙する給紙手段とを備える画像形成装置において、前記タブ紙に画像形成を行う以前に、見出しタブ部の位置が異なる全種類のタブ紙を一組にまとめたタブ紙束を前記原稿読み取り部を用いて読み取ることにより、前記各タブ紙における見出しタブ部の形状、見出しタブ部の位置、及び、前記一組のタブ紙束中のタブ紙の枚数についての各情報を前記記憶部に格納すると共に、前記タブ紙に画像形成を行う際に、前記記憶部に格納した各情報に基づいて前記タブ紙の見出しタブ部上の画像形成位置及びサイズを決定する制御手段を備えることを特徴とする。請求項２の本発明は、請求項１に記載の画像形成装置において、前記見出しタブ部に既に記載がなされたタブ紙を含む原稿束を読み取る際に、前記制御手段は、読み取った原稿が定型サイズの原稿である場合に、第１の給紙トレイ又は他の給紙トレイに収納された第１の給紙トレイと同サイズの定型紙を選択して読み取った原稿の画像情報による画像形成を行い、読み取った原稿がタブ紙の原稿である場合に、第２の給紙トレイに収納されたタブ紙を選択すると共に、前記選択されたタブ紙の見出しタブ部形状に合わせて前記原稿の見出しタブ部に記載された画像情報の画像形成を行う位置及びサイズを変更することを特徴とする。請求項３の本発明は、請求項２に記載の画像形成装置において、前記制御手段は、原稿束に含まれるタブ紙から次のタブ紙まで又はタブ紙から原稿束中の最終紙までの範囲のタブ紙及び該タブ紙に続く一続きの定型紙からなる原稿を１つのファイルと見なし、前記画像形成手段により前記記憶部に格納された画像情報を出力する際に、前記原稿束から読み取られた前記ファイルの順序を操作者が希望する任意の順序に入れ替えて出力させることができることを特徴とする。
【０００５】
【発明の実施の形態】
以下、本発明を図示した実施形態に基づいて説明する。
図１は、本発明の画像形成装置の一実施形態の概略の全体構成を示す図である。
図１に示す様に、本実施形態の画像形成装置２２は、原稿を読み取る画像読み取り装置２１と、感光体上に画像を書き込む画像書き込み部７と、電子写真方式により画像を形成する画像形成手段である画像形成部１２とを有している。
画像読み取り装置２１は、原稿読み取り部（イメージスキャナー）１と、原稿を照明する光源２と、原稿からの反射光を導くミラー３と、反射光を集光する結像レンズ４、反射光の光電変換を行うＣＣＤ等のイメージセンサー５から構成されており、原稿画像を画素単位で読み取り、デジタル変換（２値化）した信号を前記画像書き込み部７に送信するか、不図示の画素メモリ（記憶手段）に記憶する。また、図１においては、原稿読み取り部１の原稿載置台（コンタクトガラス）上に、自動原稿給紙装置（ＡＲＤＦ）６が設置される。
画像書き込み部７は、書き込み光を発生するレーザーダイオード等の光源８や、書き込み走査用の回転多面鏡９、回転多面鏡９を回転させるポリゴンモータ１０、感光体ドラム１３上にレーザー光を集光するｆθレンズ等の走査光学系１１等により構成される。光源８は、原稿読み取り部１により読み取られた画像情報に応じてレーザー光を発生する。光源８にて発生されたレーザー光は、回転多面鏡９により走査され、ミラー３を介して感光体ドラム１３上に到達する。画像情報に応じたレーザー光が感光体ドラム１３上に到達することにより、感光体ドラム１３上に画像の書き込みが行われる。
【０００６】
画像形成部１２は、光導電性の感光体ドラム１３と、感光体ドラム１３を帯電させる帯電チャージャ１４と、感光体ドラム１３上に書き込まれた静電潜像をトナー像に現像する現像装置１５と、トナー像を記録用紙に転写する転写分離ベルト１６と、感光体ドラム１３上の残存トナーをクリーニングするクリーニング装置１７と、記録用紙に転写されたトナー像を定着させる定着装置１８と、収納された記録用紙を１枚づつ画像形成部１２に搬送する給紙部１９等により構成される。画像形成部１２は、電子写真方式により画像形成を行うものである。
又、本実施形態では、画像形成部１２と給紙部１９との間に両面ユニット２０を設置している。この両面ユニット２０において、一旦片側に印字した記録用紙を反転して再給紙することにより、記録用紙の両面に画像を形成することが可能となっている。
【０００７】
次に、本発明の実施形態の動作を図２〜６のフローチャート及び図７〜９を用いて説明する。
図２は、使用するタブ紙のタブ形状を読み込む処理を示すフローチャートである。
この図２の処理は、記録用紙としてのタブ紙に印刷を行う前に、自動原稿給紙装置６及び原稿読み取り部１によりタブ紙を読み取ることにより、タブ紙における見出しタブの位置や形状の情報を画像形成装置の記憶部に格納する処理である。尚、例えばＡ４サイズやＢ５サイズ等の定型サイズの外形形状の寸法は、予め画像形成装置の記憶部に収納されている。
ステップＳ１では、画像形成装置における不図示の操作部において、操作者により「タブ形状読み込みモード」が選択される。ステップＳ２では、第２の給紙トレイに格納されたタブ紙束のうちの一組を自動原稿給紙装置６にセットする。尚、このタブ紙束は、実際に記録用紙として使用されるタブ紙からなる。ステップＳ３では、原稿読み取り部１における原稿の読み込みをスタートさせ、自動原稿台紙装置６から給送されたタブ紙の外形形状をイメージセンサー５により取り込む。ステップＳ４では、取り込んだタブ紙の外形形状を不図示の記憶部に格納する。ステップＳ５では、記憶部にアクセスする（ステップＳ６）ことにより、取り込んだタブ紙全体の外形形状と記憶部に格納されているデータのうちから外形形状が最も近似した定型サイズの外形とを比較する。ステップＳ７では、ステップＳ５の比較結果から、タブ紙の外形形状と定型紙の外形形状との差をとることによりタブ部の形状を認識する。ステップＳ８では、ステップＳ７にて認識されたタブ部の形状に基づいて有効画像形成可能域を設定する（この領域は、例えば、縦×横のサイズとして設定される）。ステップＳ９では、設定された有効画像形成可能域データを記憶部に格納する。ステップＳ１０では、ステップＳ５における比較結果からタブ部の位置を認識する。ステップＳ１１では、認識したタブ部の位置データを記憶部に格納する。ステップＳ１２では、タブ紙束中の次のタブ紙を給送するためにタブ紙枚数のカウンタ数値ｎに１を足してステップＳ３に戻る。ステップＳ１３では、タブ紙枚数のカウンタ数値ｎを記憶部に格納する。
以下、上記のステップＳ３〜Ｓ１３の処理を自動原稿給紙装置６にセットされた全てのタブ紙に対して行い、読み込んだ枚数よりタブ紙束１組の枚数を認識する。
以上の処理により、タブ紙束１組の枚数、タブ形状と位置、有効画像書き込み可能域を設定することができると共に、タブ部への印刷が指定された場合に、上記設定され記憶部に格納されたデータに基づいて適切な位置に、適切なサイズで書き込みを行うことができる。
尚、本実施形態では「タブ部への印刷を指定する方法」を特に定めていないが、例えば、画像形成装置に付帯する操作部により直接にタブ部への印刷を指定する方法の他に、この画像形成装置がコントローラを搭載したプリンタ複合機である場合には、そのプリンタ複合機に接続されたコンピュータ側からの任意のプログラムに従ってタブ部への印刷指示を行う方法も含む。
【０００８】
図３は、タブ紙を混載した原稿を読み込む処理を示すフローチャートである。ステップＳ２１では、画像形成装置に設けた不図示の操作部において、操作者により「タブ原稿混載モード」が選択される。ステップＳ２２では、自動原稿給紙装置６にタブ紙の混載された原稿束をセットする。ステップＳ２３では、原稿読み取り部１における原稿の読み込みをスタートさせ、自動原稿台紙装置６から給送された原稿の画像をイメージセンサー５により取り込む。ステップＳ２４では、順次読み込まれた原稿がタブ紙か否か判断する（イメージセンサー５で読み込まれた外形形状より判断する）。原稿が定型紙であった場合（ステップＳ２４：Ｎｏ）には、ステップＳ２９に進み、原稿がタブ紙であった場合（ステップＳ２４：Ｙｅｓ）には、ステップＳ２５に進む。ステップＳ２５では、読み込んだ原稿の画像データから、定型サイズ部に書かれた画像データとタブ部に書かれた画像データを分離し、定型サイズ部の画像データはステップＳ２７の処理に進み、タブ部の画像データはステップＳ２６の処理に進む。ステップＳ２６では、分離されたタブ部の画像データについてデータ加工を行う。このデータ加工の詳細は、図４のサブルーチンのフローチャートを用いて後述する。ステップＳ２７では、分離された定型サイズ部の画像データについて、そのまま記憶部に格納する。ステップＳ２８では、ステップＳ２６においてデータ加工されたタブ部の画像データと定型サイズ部の画像データとを合成する。ステップＳ２９では、画像データを記憶部に格納する。ステップＳ３０では、読込を行う原稿が最後の原稿であるか否かの判定が行われる。最後の原稿である場合（ステップＳ３０：Ｙｅｓ）には、ステップＳ３１に進み、最後の原稿でない場合（ステップＳ３０：Ｎｏ）には、ステップＳ２３に戻る。ステップＳ３１では、全ての原稿の画像データを格納した後、画像書き込み部７及び画像形成部１２等により、読み込んだ順（或いはその逆順）に画像データを記録用紙上に画像形成して出力する。
【０００９】
図４は、図３のステップ２６に記載したタブ部の画像データのデータ加工を行うサブルーチンを示すフローチャートである。
ステップＳ４１では、図３のフローチャートにおけるステップＳ２６のサブルーチン、即ち、タブ部の画像データのデータ加工を行うサブルーチンがスタートする。ステップＳ４２では、読み込んだタブ紙原稿上のタブ部のデータのサイズを認識する。ステップＳ４３では、図２のフローチャートにおいて認識され記憶部に格納されたタブ部の有効エリアのデータ（ステップＳ４４）とアクセスを行い、ステップＳ４３において認識したタブ部のデータサイズとステップＳ４４のタブ部の有効エリアデータを比較する。ステップＳ４５では、有効エリアデータに合わせてタブ部のデータを拡大又は縮小する。ステップＳ４６では、図２のフローチャートにおいて認識され記憶部に格納されたタブ部の位置データ（ステップＳ４７）とアクセスを行い、ステップＳ４５において拡大又は縮小されたタブ部のデータにタブ部の位置データを付加し、図３のフローチャートにおけるステップＳ２８に進む。
上記のように図４のフローチャートでは、画像分離されたタブ部データの画像サイズ（縦×横）と予め図２のフローチャートにより設定された有効画像書き込み可能域（縦×横長さ）との比較が行われ、有効画像書き込み可能域に収まるようタブ部の画像データに対して拡大縮小が行われる。
【００１０】
次に、取り込まれたタブ部の画像データの定型サイズ領域に対する位置と、予め設定された第２の給紙トレイに載置されたタブ紙の対応する順番のタブ位置とが比較されて、その位置が補正される。図７は、この場合の原稿のタブ位置と複写物のタブ位置の関係を示す図である。
図５は、図３のフローチャートにおけるステップＳ３１の画像出力のサブルーチンを示すフローチャートである。
ステップＳ５１では、図３のフローチャートにおけるステップＳ３１のサブルーチン、即ち、原稿を読み込んだ画像データの画像出力を行うサブルーチンがスタートする。ステップＳ５２では、記憶部に格納されていた画像データを印字出力用に展開する。ステップＳ５３では、画像データがタブ紙データであるか否かの判断が行われ、タブ紙データである場合（ステップＳ５３：Ｙｅｓ）には、ステップＳ５４に進み、タブ紙データでない場合（ステップＳ５３：Ｎｏ）には、ステップＳ５５に進む。ステップＳ５４では、タブ紙を収納した給紙トレイを選択して給紙を行う。ステップＳ５５では、定型紙を収納した給紙トレイを選択して給紙を行う。ステップＳ５６では、画像データに基づいた画像を給紙された用紙上に転写する。ステップＳ５７では、用紙に転写した画像を定着させた後、用紙を排出する。ステップＳ５８では、画像データが終了したか否かの判断が行われ、終了した場合（ステップＳ５８：Ｙｅｓ）には、出力処理を終了し、終了しない場合（ステップＳ５８：Ｎｏ）には、ステップＳ５２に戻る。
このように、定型サイズ原稿に対しては第１の給紙トレイに収納された同サイズの用紙又は他のトレイに収納された指定サイズの用紙を選択し、タブ原稿に対しては第２の給紙トレイに載置されたタブ紙を選択して画像出力を行う。
【００１１】
次に、原稿中の一つのタブ紙を表紙として、そのタブ紙から次のタブ紙までの間の定型紙を含んで一つのファイルとし、原稿中の各ファイルの順番を入れ替えて複写等を行う場合について説明する。
図６は、タブ紙を混載した原稿を読み込み、ファイル毎の順番を入れ替えて出力する処理を示すフローチャートである。ステップＳ６１では、画像形成装置における不図示の操作部において、操作者により「タブ原稿混載モード」が選択される。ステップＳ６２では、操作者により「タブファイル入れ替えモード」が選択されたか否かを判定し、「タブファイル入れ替えモード」が選択された場合（ステップＳ６２：Ｙｅｓ）には、ステップＳ６３に進み、「タブファイル入れ替えモード」が選択されない場合（ステップＳ６２：Ｎｏ）には、ステップＳ６５に進む。ステップＳ６３では、操作者によりタブファイルの新しい順番が指定（入力）される。ステップＳ６４では、タブファイルの新しい順番のデータが記憶部に格納される。ステップＳ６５では、自動原稿給紙装置６にタブ紙の混載された原稿束をセットされる。ステップＳ６６では、原稿読み取り部１における原稿の読み込みをスタートさせ、自動原稿給紙装置６から給送された原稿の画像をイメージセンサー５により取り込む。ステップＳ６７では、順次読み込まれた原稿がタブ紙か否か判断する（イメージセンサー５で読み込まれた外形形状より判断する）。原稿が定型紙であった場合（ステップＳ６７：Ｎｏ）には、ステップＳ７３に進み、原稿がタブ紙であった場合（ステップＳ６７：Ｙｅｓ）には、ステップＳ６８に進む。ステップＳ６８では、タブファイルＦに１を加算してフラグする（Ｆ＝Ｆ＋１）。ステップＳ６９では、読み込んだ原稿の画像データから、定型サイズ部に書かれた画像データとタブ部に書かれた画像データを分離し、定型サイズ部の画像データはステップＳ７１の処理に進み、タブ部の画像データはステップＳ７０の処理に進む。ステップＳ７０では、分離されたタブ部の画像データについてデータ加工を行う。このデータ加工の詳細は、図４のサブルーチンのフローチャートに示した通りである。ステップＳ７１では、分離された定型サイズ部の画像データを、そのまま記憶部に格納する。ステップＳ７２では、ステップＳ７０にてデータ加工されたタブ部の画像データと定型サイズ部の画像データを合成する。ステップＳ７３では、ステップＳ６８で求めたフラグにより示される記憶部に画像データを格納する。原稿束から読み込まれた１枚のタブ紙及びその後に読み込まれた定型紙からなる原稿群は、そのタブ紙に代表される１つのファイルと見なされグルーピングされる（具体的には、記憶部内のファイル毎の画像データに対応してフラグが立てられる）。ステップＳ７４では、読込を行う原稿が最後の原稿であるか否かの判定が行われる。最後の原稿である場合（ステップＳ７４：Ｙｅｓ）には、ステップＳ７５に進み、最後の原稿でない場合（ステップＳ７４：Ｎｏ）には、ステップＳ６６に戻る。ステップＳ７５では、ステップＳ６４で記憶部に格納したタブファイルの新しい順番に従って、ステップＳ７３で記憶部に格納した画像データを入れ替える。ステップＳ７６では、全ての原稿の画像データを格納した後、画像書き込み部７及び画像形成部１２等により、読み込んだ順（或いはその逆順）に画像データの画像を形成して出力する。
【００１２】
図８と図９は、図６に示したようなタブファイルの順番を変更する場合を説明するための図である。
図８は、原稿のタブファイルの順番が変更されて複写される様子を示す図である。
図８（ａ）の原稿では、タブファイルが「Ａ○○」、「Ｂ△△」、「Ｃ□□」の順番で並んでいるが、図８（ｂ）の複写物においては、「Ｂ△△」、「Ｃ□□」、「Ａ○○」の順番に変更されて並んでいる。この複写物におけるタブファイルの順番の変更方法については図９に示す。
図９は、図６のステップに対応させたタブファイルの順番の変更方法について説明する図である。
図９（ａ）〜（ｃ）は、図６のステップＳ６６（原稿読み込み時）における原稿が読み込まれる様子を示している。
図９（ａ）に示した「Ａ」のタブファイルにおいて最初に読み込まれるタブ紙の画像データの記憶部に立てるフラグを「１−１」として、「Ａ」のタブファイル中のタブ紙の次以降に読み込まれる原稿（定型紙）の画像データに対応するフラグを「１−２」、「１−３」、・・・と順次割り当てて記憶する。
図９（ｂ）に示した「Ｂ」のタブファイルの画像データについても同様にフラグ「２−１」、「２−２」、・・・を割り当てて記憶部に格納し、次に、図９（ｃ）に示した「Ｃ」のタブファイルの画像データについても同様にフラグ「３−１」、「３−２」、・・・を割り当てて記憶部に格納する。
図９（ｄ）は、図６のステップＳ６３のタブファイルの順番を変更するための指示入力を示す図である。
図９（ｄ）において、変更される順番の１番目が「Ｂ」のタブファイルであり、２番目が「Ｃ」のタブファイルであり、３番目が「Ａ」のタブファイルである。
図９（ｅ）は、記憶部における読み取られた各原稿の画像データとフラグの関係をテーブル形式にて示す図である。
図９（ｅ）では、原稿が読み取られた順番に従って、「Ａ」のタブファイルの１枚目（「Ａ−１」）の原稿の画像データに対応してフラグ「１−１」が記憶部に格納される。同様にして「Ａ−２」の画像データに対応してフラグ「１−２」、「Ａ−３」の画像データに対応してフラグ「１−３」、「Ａ−４」の画像データに対応してフラグ「１−４」、「３−１」の画像データに対応してフラグ「２−１」、「３−２」の画像データに対応してフラグ「２−２」、・・・というように記憶部に格納される。
【００１３】
図９（ｆ）は、図６のステップＳ７５のタブファイルの順番を入れ替えた場合の画像データとフラグの関係を示す図である。
図９（ｆ）では、図６のステップＳ６３〜Ｓ６４において入力された順序変更指示の順番に従って、フラグの付け替えを行う。「Ａ」のタブファイルの１枚目（「Ａ−１」）の原稿の画像データに対応してフラグ「３−１」が記憶部に格納される。
【００１４】
同様にして「Ａ−２」の画像データに対応してフラグ「３−２」、「Ａ−３」の画像データに対応してフラグ「３−３」、「Ａ−４」の画像データに対応してフラグ「３−４」、「３−１」の画像データに対応してフラグ「１−１」、「Ｂ−２」の画像データに対応してフラグ「１−２」、・・・というように記憶部に格納される。
図９（ｇ）〜（i ）は、図６のステップＳ７６（画像出力時）における出力用紙が出力される様子を示している。
図９（ｇ）に示したように、最初にフラグ「１−１」が立てられた「３」のタブファイル中のタブ紙の画像データ「Ｂ−１」が出力され、次にフラグ「１−２」が立てられた定型紙の画像データ「３−１」が出力され、次以降にフラグ「１−３」、「１−４」、・・・に対応した画像データが出力される。
図９（ｈ）に示した「Ｃ」のタブファイルの画像データについても同様にフラグ「２−１」、「２−２」、・・・の順に対応する画像データが出力され、次に、図９（ｉ）に示した「Ａ」のタブファイルの画像データについても同様にフラグ「３−１」、「３−２」、・・・の順に対応する画像データが出力される。
尚、本実施形態では、フラグとして１、２、３、４等の数字を用い、その数字を昇順に画像データに対して割り当てを行ったが、他の記号を個別にタブファイル毎に用いること、及び、数字を降順に割り当てても同様にタブファイルの順番を変更することができる。
【００１５】
【発明の効果】
上記のように請求項１の本発明では、一組のタブ紙束における各々のタブ紙の形状を認識して記憶することができることから、煩雑な入力を行う必要がなく、また、原稿と用意したタブの形状が異なっていても自動的に補正してプリントすることが出来ることから、任意のタブ形状のタブ紙を使用することができる。
請求項２にの本発明では、タブ紙を含む原稿を読み込んで、原稿に合わせてタブ紙か定型紙を搬送するので、タブ紙を指定する煩雑な入力を行う必要がなくなる。
請求項３の本発明は、タブファイルの出力順番をタブ紙で区切られた単位で順序を入れ替えて指定することができるので、タブファイルの順番を任意の順番に入れ替えた複写ファイルを作成することができる。
【図面の簡単な説明】
【図１】本発明の画像形成装置の一笑施形態の該略の全体構成を示す図である。
【図２】使用するタブ紙のタブ形状を読み込む処理を示すフローチャートである。
【図３】タブ紙を混載した原稿を読み込む処理を示すフローチャートである。
【図４】図３に記載したタブ部の画像データのデータ加工を行うサブルーチンを示すフローチャートである。
【図５】図３の画像出力のサブルーチンを示すフローチャートである。
【図６】タブ紙を混載した原稿を読み込み、ファイル毎の順番を入れ替えて出力する処理を示すフローチャートである。
【図７】（ａ）、（ｂ）は原稿のタブ位置と複写物のタブ位置の関係を示す図である。
【図８】（ａ）、（ｂ）は原稿のタブファイルの順番が複写物では変更される様子を示す図である。
【図９】（ａ）〜（ｉ）は図６のステップに対応させてタブファイルの順番の変更方法について説明するための図である。
【符号の説明】
１・・・原稿読み取り部、２・・・光源、３・・・ミラー、４・・・結像レンズ、５・・・イメージセンサー、６・・・自動原稿給紙装置、７・・・画像書き込み部、８・・・光源、９・・・回転多面鏡、１０・・・ポリゴンモータ、１１・・・走査光学系、１２・・・画像形成部、１３・・・感光体ドラム、１４・・・帯電チャージヤ、１５・・・現像装置、１６・・・転写分離ベルト、１７・・・クリーニング装置、１８・・・定着装置、１９・・・給紙部、２０・・・両面ユニット、２１・・・画像読み取り装置、２２・・・画像形成装置
【図１】
0003709293.tif 000002
【図２】
0003709293.tif 000003
【図３】
0003709293.tif 000004
【図４】
0003709293.tif 000005
【図５】
0003709293.tif 000006
【図６】
0003709293.tif 000007
【図７】
0003709293.tif 000008
【図８】
0003709293.tif 000009
【図９】
0003709293.tif 000010